(57)【要約】【課題】熱交換形換気装置等に使用されるダンパーにおいて、空気漏れの抑制を目的とする。【解決手段】羽根部５は、回転軸８より、気密保持部分７と風路遮断部分６とに仕切られ、枠部２には互いに対向する第１側部と第２側部とを有し、気密保持部分７が第１側部３と接触し、かつ風路遮断部分６が第２側部４と接触している状態において、第１側部３、気密保持部分７、回転軸８、風路遮断部分６、第２側部４の順に位置していること特徴とする、という構成にしたことにより、回転軸をダンパー枠と重なるように設けることで、枠と回転軸との隙間からの空気漏れを抑制できるダンパーを得ることができる。【選択図】図１
2020046110.tif 000002
【特許請求の範囲】
【請求項１】
回転軸を中心に回動する板状の羽根部と、
前記羽根部の外周を囲む枠部と、を有し、
前記回転軸は、前記羽根部の面上に設けられ、
前記羽根部は、前記回転軸により、気密保持部分と風路遮断部分とに仕切られ、
前記枠部は、互いに対向する第１側部と第２側部とを有し、
前記気密保持部分が前記第１側部と接触し、かつ、前記風路遮断部分が前記第２側部と接触している状態において、前記第１側部、前記気密保持部分、前記回転軸、前記風路遮断部分、前記第２側部の順に位置することを特徴とするダンパー。
【請求項２】
前記第１側部は、前記気密保持部分に接触する第１当て面を有し、
前記第２側部は、前記風路遮断部分に接触する第２当て面を有し、
前記第１当て面は、前記枠部の天面側に設けられ、
前記第２当て面は、前記枠部の底面側に設けられることを特徴とする請求項１に記載のダンパー。
【請求項３】
前記第１当て面は、第１凸部を有し、
前記気密保持部分は、第１凹部を有し、
前記第１凹部と前記第１凸部が係合することを特徴とする請求項２に記載のダンパー。
【請求項４】
前記第２当て面は、第２凸部を有し、
前記風路遮断部分は、第２凹部を有し、
前記第２凹部と前記第２凸部が係合することを特徴とする請求項３に記載のダンパー。
【請求項５】
請求項１〜４のいずれか１項に記載のダンパーを備えたことを特徴とする熱交換形換気装置。
【請求項６】
前記ダンパーを固定するダンパー固定部材を備え、
前記ダンパー固定部材は、ストッパー部を有し、
前記ストッパー部が前記気密保持部分と接触することで、前記ダンパーを開いている状態からさらに前記ダンパーを開く方向への回動を規制することを特徴とする請求項５に記載の熱交換形換気装置。
【発明の詳細な説明】
【技術分野】
【０００１】
本発明は、熱交換形換気装置に使用される、風路を切り替えるダンパーに関するものである。
【背景技術】
【０００２】
従来、この種のダンパーを備えた熱交換形換気装置は、排気風路中に、風路を切り替えるためのダンパーを備えたものが知られている（例えば、特許文献１参照）。
【０００３】
以下、そのダンパーを備えた熱交換形換気装置について図１２を参照しながら説明する。
【０００４】
図１２（ａ）および（ｂ）に示すように、ダンパー１１７は、電動機１１８に連結しており、第一排気風路１１４と第二排気風路１１５を切替える。ここで電動機１１８は、ＤＣ電圧で駆動するステッピングモータなどが挙げられる。ダンパー１１７は、電動機１１８を軸として回転駆動することにより、第一排気風路における熱交換素子１１３への入り口を遮蔽し、あるいは第二排気風路を遮蔽することで第一排気風路１１４と第二排気風路１１５とを切り替える。
【先行技術文献】
【特許文献】
【０００５】
【特許文献１】特開２０１７−５８０４２号公報
【発明の概要】
【発明が解決しようとする課題】
【０００６】
このような従来のダンパーにおいては、ダンパーの回転軸が端部に設けられているため、ダンパー枠部と回転軸の隙間から空気漏れが発生するという課題を有していた。
本発明は、ダンパー枠部と回転軸の隙間からの空気漏れを抑制したダンパーを提供することを目的とする。
【課題を解決するための手段】
【０００７】
そして、この目的を達成するために、本発明の一態様に係るダンパーは、回転軸を中心に回動する板状の羽根部と、前記羽根部の外周を囲む枠部と、を有し、前記回転軸は、前記羽根部の面上に設けられ、前記羽根部は、前記回転軸により、気密保持部分と風路遮断部分とに仕切られ、前記枠部は、互いに対向する第１側部と第２側部とを有し、前記気密保持部分が前記第１側部と接触し、かつ、前記風路遮断部分が前記第２側部と接触している状態において、前記第１側部、前記気密保持部分、前記回転軸、前記風路遮断部分、前記第２側部の順に位置することを特徴としたものであり、これにより所期の目的を達成するものである。
【発明の効果】
【０００８】
本発明によれば、回転軸をダンパーの羽根部分である面と重なるように設ける構造となるので、ダンパー枠と回転軸との隙間から空気漏れを抑制するという効果を得ることができる。
【図面の簡単な説明】
【０００９】
【図１】本発明の実施の形態１に係るダンパーの概要を示す斜視図
【図２】同ダンパーの開状態を示す斜視図
【図３】同ダンパーの断面図
【図４】同ダンパーの第１側部側を示す断面図
【図５】同ダンパーの第２側部側を示す断面図
【図６】本発明の実施の形態２に係るダンパーを備えた熱交換形換気装置の概要を示す斜視図
【図７】同熱交換形換気装置の、ダンパー開状態における排気熱交換気風路を示す斜視図
【図８】同熱交換形換気装置のダンパー固定部材を示す斜視図
【図９】同ダンパー固定部材を示す斜視図
【図１０】同ダンパー固定部材および排気熱交換気風路を示す斜視図
【図１１】同ダンパー固定部材および排気普通換気風路を示す斜視図
【図１２】従来のダンパーを備えた熱交換形換気装置を示す概略図
【発明を実施するための形態】
【００１０】
本発明の一態様に係るダンパーは、回転軸を中心に回動する板状の羽根部と、羽根部の外周を囲む枠部と、を有し、回転軸は、羽根部の面上に設けられ、羽根部は、回転軸により、気密保持部分と風路遮断部分とに仕切られ、枠部は、互いに対向する第１側部と第２側部とを有し、気密保持部分が第１側部と接触し、かつ、風路遮断部分が第２側部と接触している状態において、第１側部、気密保持部分、回転軸、風路遮断部分、第２側部の順に位置する、という構成を有する。
【００１１】
これにより、回転軸を羽根部と重なるように設けることになるので、枠部と回転軸との隙間から空気漏れを抑制する、という効果を奏する。
【００１２】
また、第１側部は、気密保持部分に接触する第１当て面を有し、第２側部は、風路遮断部分に接触する第２当て面を有し、第１当て面は、枠部の天面側に設けられ、第２当て面は、枠部の底面側に設けられる、という構成にしてもよい。
【００１３】
これにより、ダンパーが閉状態において枠部と羽根部がより密接することになるので、枠部と羽根部からの空気漏れを抑制するという効果をさらに高めることができる。
【００１４】
また、第１当て面は、第１凸部を有し、気密保持部分は、第１凹部を有し、第１凹部と第１凸部が係合することを特徴とする、という構成にしてもよい。
【００１５】
これにより、ダンパー閉状態において凹部と凸部が係合することになるので、枠部での気密性を向上するという効果を奏する。
【００１６】
また、第２当て面は、第２凸部を有し、風路遮断部分は、第２凹部を有し、第２凹部と第２凸部が係合することを特徴とするという構成にしてもよい。
【００１７】
これにより、凹部と凸部が係合することになるので、ダンパー枠部における気密性がさらに向上する、という効果を奏する。
【００１８】
また、上述のダンパーを備えたことを特徴とする熱交換形換換気装置という構成にしてもよい。
【００１９】
これにより、熱交換形換気装置の熱交換気風路と普通換気風路をダンパーで切り替えるので、熱交換形換気扇の気密性を向上する、という効果を奏する。
【００２０】
また、上記熱交換形換気装置は、ダンパーを固定するダンパー固定部材を備え、ダンパー固定部材は、ストッパー部を有し、ストッパー部が気密保持部分と接触することで、ダンパーを開いている状態からさらにダンパーを開く方向への回動を規制するという構成にしてもよい。
【００２１】
これにより、ストッパー部が気密保持部分と接触してダンパーの回動を規制することにとなるので、ダンパーが外れることを抑制するという効果を奏する。
【００２２】
以下、本発明の実施の形態について図面を参照しながら説明する。
【００２３】
（実施の形態１）
本発明に係るダンパーについて図１〜６を用いて説明する。
【００２４】
図１に示すように、ダンパー１は枠部２と、羽根部５と、回転軸８と、モータ部９と、を有する。
【００２５】
枠部２は、羽根部５の外周を囲うように位置し、枠部２により形成される開口部に羽根部５が設けられる。そして、羽根部５の回動により開口部の開口面積が変動し、風路もしくは風量を切り替える。
【００２６】
枠部２は、第１側部３と、第２側部４と、を有する。第１側部３と第２側部４とは羽根部５を介して対向する位置にある。
【００２７】
羽根部５は、板状で、回転軸８を中心に回動する。羽根部５は、風路遮断部分６と、気密保持部分７と、を有する。風路を切り替える（遮断する）役割を主に果たすのは風路遮断部分６である。羽根部５において風路遮断部分６の面積は気密保持部分７の面積より大きい。
【００２８】
また羽根部５上には回転軸８が設けられている。羽根部５は回転軸８により風路遮断部分６と気密保持部分７とに仕切られる。気密保持部分７が第１側部３と接触し、かつ、風路遮断部分６が第２側部４と接触している状態において、第１側部３側から第２側部４側に向かって気密保持部分７、回転軸８、風路遮断部分６の順に位置している。
【００２９】
図１に示すようなダンパー１が閉状態において、第１側部３に気密保持部分７、第２側部４に風路遮断部分６が接触する構造になっている。
【００３０】
また、図２に示すように、ダンパー１が開状態においては、回転軸８を支点に風路遮断部分６が枠部２（第２側部４）との接合から離れ、枠部２に対して鉛直上向きに９０度回動する構造となっている。
【００３１】
気密保持部分７が第１側部３と接触し、かつ、風路遮断部分６が第２側部と接触している状態をダンパー１が閉である状態とする。また、気密保持部分７が第１側部３から離間し、かつ、風路遮断部分６が第２側部４から離間している状態をダンパー１が開である状態とする。
【００３２】
モータ部９は、枠部２上に設けられており、回転軸８と接合するように位置する。モータ部９の運転により羽根部５が回動し、ダンパー１の開閉が切り替えられる。
【００３３】
このように、回転軸８をダンパー枠（枠部２）と重なるように設けることで、ダンパー枠（枠部２）と回転軸８との隙間からの空気漏れを抑制できるという効果を奏する。すなわち、回転軸８を支点に羽根部５が回動しダンパー１が閉となったとき、回転軸８と枠部２（第１側部３）との隙間を気密保持部分７で塞ぐことができるので、羽根部５と枠部２との隙間からの空気漏れを抑制できる。
【００３４】
また、図３〜５にダンパーの断面図を示す。
【００３５】
図３に示すように、第１側部３は第１当て面１０を有し、第２側部４は第２当て面１３を有する。第１当て面１０は、外周部分にあたる第１側部３から内周側（羽根部５側）に向かうように延設された面である。また、第２当て面１３は、外周部分にあたる第２側部４から内周側（羽根部５側）に向かうように延設された面である。第１当て面１０は、気密保持部分７と接触する。第２当て面１３は、風路遮断部分６と接触する。ダンパー１が閉の状態において、第１当て面１０は羽根部５（気密保持部分７）より枠部２の天面側に位置しており、第２当て面１３は羽根部５（風路遮断部分６）より枠部２の底面側に位置している。
【００３６】
ダンパー１が閉状態において、羽根部５の気密保持部分７は第１当て面１０と密着し、風路遮断部分６は第２当て面１３と密着する。
【００３７】
これにより、ダンパー１が閉状態において、ダンパー枠（枠部２）とブレード（羽根部５）が密着することから、ダンパー枠（枠部２）とブレード（羽根部５）の隙間からの空気漏れを抑制できる、という効果を奏する。
【００３８】
また、図４に示すように、枠部２の第１当て面１０には、底面側に第１凸部１２を有していてもよい。第１凸部１２は、第１当て面１０から羽根部５（気密保持部分７）に向かって突出する突起部である。すなわち、第１凸部１２は、第１当て面１０の下面において、枠部２の天面側から底面側に向かって突出している。
【００３９】
気密保持部分７の天面側で、第１当て面１０と密着する部分には、第１凹部１１が設けられている。第１凹部１１は、気密保持部分７の外周に設けられる。
【００４０】
図４に示すように、ダンパー１が閉となると第１当て面１０と気密保持部分７とが接触し、第１凸部１２と第１凹部１１とが係合する。
【００４１】
このように、ダンパーが閉状態において、第１凹部１１と第１凸部１２が係合することにより、ダンパー枠（枠部２）内における気密性を向上できる、という効果を奏する。
【００４２】
また、図５に示すように、枠部２の第２当て面１３には、天面側に第２凸部１５を有していてもよい。第２凸部１５は、第２当て面１３から羽根部５（風路遮断部分７）に向かって突出する突起部である。すなわち、第２凸部１５は、第２当て面１３の上面において、枠部２の底面側から天面側に向かって突出している。
【００４３】
風路遮断部分６の底面側で、第２当て面１３と密着する部分には、第２凹部１４が設けられている。第２凹部１４は、風路遮断部分６の外周に設けられる。
【００４４】
図２に示すように、ダンパー１が閉となると第２当て面１３と風路遮断部分６とが接触し、第２凸部１５と第２凹部１４とが係合する。
【００４５】
このように、ダンパー１が閉状態において、第２凹部１４と第２凸部１５が係合することにより、ダンパー枠（枠部２）内における気密性を向上できる、という効果を奏する。
【００４６】
（実施の形態２）
実施の形態１と同じ構成の箇所は同じ符号を付与し、詳細な説明は省略する。
【００４７】
次に上記ダンパーを備えた熱交換形換気装置について図６〜１１を用いて説明する。
【００４８】
図６に示すように、熱交換形換気装置２１の内部には、ダンパー１と、熱交換素子２６と、給気ファンユニット２７と、排気ファンユニット２８が設けられている。
【００４９】
熱交換形換気装置２１の天面には、給気口２２と、環気口２３と、外気口２４と、排気口２５が設けられている。
【００５０】
環気口２３、外気口２４、排気口２５は、それぞれダクトが接続できる形状となっている。外気口２４と排気口２５に接続したダクトは建物外壁面まで引き回して建物外の屋外空気と連通する。環気口２３に接続したダクトは居室の天井面または壁面と連通されて室内空気と連通する。
【００５１】
また、熱交換形換気装置２１の天面に加湿部があってもよい。加湿部は、給気口２２からジョイント用のダクトを取り付け、熱交換形換気装置２１と接続する形式で設けられてもよい。
【００５２】
給気風路２９は、給気ファンユニット２７によって外気口２４から吸い込まれた新鮮な屋外の空気（給気空気）が、熱交換素子２６、給気ファンユニット２７の順に通過し、給気口２２から室内に給気される風路である。
【００５３】
ダンパー１が閉状態である場合の排気風路である排気熱交換気風路３０は、排気ファンユニット２８によって汚染された室内の空気（排気空気）を環気口２３から吸い込み、熱交換素子２６を通って、排気口２５から室外に排気する風路である。
【００５４】
熱交換素子２６は、排気される空気の熱量を給気される空気に供給する、または、給気される空気の熱量を排気される空気の熱量に供給する、熱回収の機能を有している。熱交換素子２６は、給気風路２９と排気熱交換気風路３０とが交わる位置に設けられる。
【００５５】
また、図７に示すように、ダンパー１が開状態である場合の排気風路である排気普通換気風路３１は、排気ファンユニット２８によって環気口２３から吸い込まれた排気空気が、排気ファンユニット２８を通過し、排気口２５から室外に排気される風路である。このとき、排気普通換気風路３１を通過する排気空気は、ダンパー１で遮断されることにより、熱交換素子２６を通過しない。
【００５６】
すなわち、ダンパー１が開のときは、環気口２３からの空気は、排気普通換気風路３１を通過し、ダンパー１が閉のときは、環気口２３からの空気は、排気熱交換気風路３０を通過する。このようにダンパー１の開閉により排気普通換気風路３１と排気熱交換気風路３０とを切り替える。
【００５７】
また、図８および図９に示すように、熱交換形換気装置２１の内部において、ダンパー１はダンパー固定部材３２に収納される形式で設けられている。
【００５８】
ダンパー１は、排気熱交換気風路３０および排気普通換気風路３１のダンパー固定部材３２の内部に設けられており、排気熱交換気風路３０と排気普通換気風路３１を分離する機能を有している。
【００５９】
ダンパー固定部材３２は、環気口２３から流入した排気空気が通過する風路を形成するように設けられている。また、ダンパー固定部材３２は外気口２４から流入した給気空気が通過する風路を形成するように設けられていてもよい。また、ダンパー固定部材３２は例えば発泡スチロールで構成されていてもよい。これにより、熱交換形換気装置２１内部の断熱性が向上する。
【００６０】
また、図１０および図１１に示すように、ダンパー固定部材３２はストッパー部３３を有していてもよい。
【００６１】
ストッパー部３３は、回転軸８の下方に位置している。ストッパー部３３は、ダンパー１が設けられた状態において、ダンパー１に向かう方向に突出した部分である。
【００６２】
図１０に示すように、ダンパー１が閉状態において、ストッパー部３３は風路遮断部分６と接触する。
【００６３】
図１１に示すように、ダンパー１が開状態において、ストッパー部３３は気密保持部分７と密着する。これにより、ストッパー部３３とダンパー１との気密性が向上し、排気普通換気風路３１を流れる空気が排気熱交換気風路３０へ流入することを抑制する。また、ダンパー１が開状態にある位置から、羽根部５がさらに開く方向に回動した場合でも、ストッパー部３３が気密保持部分７と接触することで羽根部５の回動を規制し、ダンパー１が外れることを抑制する。
【００６４】
なお、本実施例では、熱交換形換気装置２１への空気の流出入は本体天面から行われるものとしたが、本体側面から行われてもよい。
【００６５】
以上、本発明に係るダンパーおよび熱交換形換気装置について、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００６６】
本発明に係るダンパーは、枠と回転軸との隙間から空気漏れを抑制することを可能とするものであるので、換気装置等に使用される風路切り替え装置として有用である。
【符号の説明】
【００６７】
１    ダンパー
２    枠部
３    第１側部
４    第２側部
５    羽根部
６    風路遮断部分
７    気密保持部分
８    回転軸
９    モータ部
１０    第１当て面
１１    第１凹部
１２    第１凸部
１３    第２当て面
１４    第２凹部
１５    第２凸部
２１    熱交換形換気装置
２２    給気口
２３    環気口
２４    外気口
２５    排気口
２６    熱交換素子
２７    給気ファンユニット
２８    排気ファンユニット
２９    給気風路
３０    排気熱交換気風路
３１    排気普通換気風路
３２    ダンパー固定部材
３３    ストッパー部
１１３    熱交換素子
１１４    第一排気風路
１１５    第二排気風路
１１７    ダンパー
１１８    電動機
【図１】
2020046110.tif 000003
【図２】
2020046110.tif 000004
【図３】
2020046110.tif 000005
【図４】
2020046110.tif 000006
【図５】
2020046110.tif 000007
【図６】
2020046110.tif 000008
【図７】
2020046110.tif 000009
【図８】
2020046110.tif 000010
【図９】
2020046110.tif 000011
【図１０】
2020046110.tif 000012
【図１１】
2020046110.tif 000013
【図１２】
2020046110.tif 000014